(57)【要約】【課題】搬送途中などにおいてジッパー部と袋の開口端の上端辺のヒートシール部との間に内容物が入り込むのを防止する。【解決手段】包装袋１を立てた状態における上端に位置する開口端付近にジッパーテープ４，５を設け、このジッパーテープ４，５の上側に位置する包装袋１の上端辺をヒートシールしてなり、前記ジッパーテープ４，５のやや下側位置において包装袋１を構成する２枚のシート部２，３間を手で剥離できる程度のヒートシール強度でホットメルト型接着樹脂テープ６を介して界面剥離可能に接合させてある。【選択図】    図２
2005225541.tif 000002
【特許請求の範囲】
【請求項１】
包装袋を立てた状態における上端に位置する開口端付近に設けたジッパーテープのやや下側位置において包装袋を構成する２枚のシート部間を手で剥離できる程度のヒートシール強度で界面剥離可能、あるいは層間剥離可能、あるいは凝集剥離可能なテープを介して接合させてあることを特徴とするジッパー付き包装袋。
【請求項２】
包装袋を立てた状態におけるジッパーテープの上側に位置する包装袋の上端辺をヒートシールしてなることを特徴とする請求項１記載のジッパー付き包装袋。
【請求項３】
包装袋を立てた状態における包装袋の上端辺をヒートシールしておらず、ジッパーテープはスライダー付きであることを特徴とする請求項１記載のジッパー付き包装袋。
【発明の詳細な説明】
【技術分野】
【０００１】
本発明は、ジッパー付き包装袋に関するものである。
【背景技術】
【０００２】
従来のこの種ジッパー付き包装袋としては例えば特許文献１などで知られているものがある。即ち、袋の開口端付近における対向位置に雌雄係合する開閉可能なジッパーを一体的に設けたものが古くから知られている。
【特許文献１】実用新案登録第２５５７２５６号公報
【発明の開示】
【発明が解決しようとする課題】
【０００３】
上記の特許文献１に記載のような雌雄係合する開閉可能なジッパーを一体的に設けた包装袋にあって、ジッパーを開閉する前は袋の開口端近傍の辺を含めて周辺がヒートシールにて閉じられており、ジッパーを開いて袋の内容物を取り出すときは袋の開口端近傍の辺のヒートシール部をカットして取り除き、かかる状態でジッパーを開いて内容物を取り出しているのが現状である。
【０００４】
そこで、上記のようなジッパー付き包装袋は、袋の開口端近傍の辺のヒートシール部をカットした後、ジッパーを開いて内容物を取り出しているのであるが、商品（内容物が入っている袋）の搬送途中などにおいて内容物の圧などでジッパーの雌雄の噛み合い部の僅かな隙間から内容物（液状のもの）がジッパー部と袋の開口端近傍の辺のヒートシール部との間に溜まることがあり、かかる状態で購入した消費者が内容物を取り出すために袋の開口端近傍の辺のヒートシール部をカットしたとき、ジッパー部と袋の開口端近傍の辺のヒートシール部との間に溜まっている液状の内容物が零れ出るという問題があった。
【０００５】
本発明は、このような課題を解決するもので、搬送途中などにおいてジッパー部と袋の開口端の上端辺のヒートシール部との間に内容物が入り込むのを防止することを目的とするものである。
【課題を解決するための手段】
【０００６】
本発明の請求項１に記載のジッパー付き包装袋は、包装袋を立てた状態における上端に位置する開口端付近に設けたジッパーテープのやや下側位置において包装袋を構成する２枚のシート部間を手で剥離できる程度のヒートシール強度で界面剥離可能、あるいは層間剥離可能、あるいは凝集剥離可能なテープを介して接合させてあることを特徴とする。
【０００７】
請求項２に記載のジッパー付き包装袋は、包装袋を立てた状態におけるジッパーテープの上側に位置する包装袋の上端辺をヒートシールしてなることを特徴とする。
請求項３に記載のジッパー付き包装袋は、包装袋を立てた状態における包装袋の上端辺をヒートシールしておらず、ジッパーテープはスライダー付きであることを特徴とする。
【発明の効果】
【０００８】
以上のように、本発明のジッパー付き包装袋は、包装袋を立てた状態における上端に位置する開口端付近に設けたジッパーテープのやや下側位置において包装袋を構成する２枚のシート部間を手で剥離できる程度のヒートシール強度で界面剥離可能、あるいは層間剥離可能、あるいは凝集剥離可能に接合させてあることにより、内容物が液状のものであってもジッパーテープの隙間に入り込むのを止めることができ、搬送途中などにおいてジッパー部と袋の開口端の上端辺のヒートシール部との間に内容物が入り込むのを防止することができる。また、上端辺をヒートシールしていないスライダー付きジッパーテープを備えた包装袋に実施した場合においても、ジッパーテープのやや下側位置において包装袋を構成する２枚のシート部間を手で剥離できる程度のヒートシール強度で界面剥離可能、あるいは層間剥離可能、あるいは凝集剥離可能に接合してあることにより、内容物が液状のものであっても両ジッパーテープの隙間に入り込むのを止め、延いてはスライダー部からの液状内容物の漏出を防止することができる。
【発明を実施するための最良の形態】
【０００９】
以下、本発明の一実施の形態を、図１〜図４に基づいて説明する。
図において、１は四方シールタイプの包装袋で、この包装袋１の開口端付近において表側および裏側（または裏側および表側）の各シート部２，３の内面に雄型のジッパーテープ４と雌型のジッパーテープ５をヒートシールにて接合させることにより一体的に設けている。
【００１０】
前記包装袋１を構成するシート部２，３は外層２ａ，３ａがナイロンフィルム、内層２ｂ，３ｂがポリエチレンフィルムからなる２層構造であり、この包装袋１を立てた状態における上端に位置する包装袋１の開口端付近、詳しくは包装袋１の上端よりやや下側位置における各シート部２，３の内面のポリエチレンフィルムからなる内層２ｂ，３ｂにポリエチレン系樹脂を材料として作られた雄型のジッパーテープ４と雌型のジッパーテープ５が接合されている。
【００１１】
そして、包装袋１を立てた状態におけるジッパーテープ４，５のやや下側位置において前記シート部２，３の内層２ｂ，３ｂの内、何れか一方の内層（図面に示す実施の形態では内層２ｂ）の内面にはホットメルト型接着樹脂テープ６が設けられている。このホットメルト型接着樹脂テープ６はシート部２の内層２ｂの内面に、例えば１８０度の温度で、シール時間一秒、シール圧０．２ＭＰａでヒートシールにて接合されている。これにより、ホットメルト型接着樹脂テープ６とシート部２の内層２ｂのポリエチレンフィルムが５Ｎ／１５ｍｍ程度のヒートシール強度で接合する。即ち、ホットメルト型接着樹脂は加熱されることによりポリエチレンなどのポリオレフィン系の樹脂に対して接着する性質を有し、ポリオレフィン系の樹脂に対するヒートシール強度は手で簡単に界面剥離できる程度（５Ｎ／１５ｍｍ程度）であることが実験により判明している。そして、このホットメルト型接着樹脂テープ６をシート部３の内層３ｂに対し、前述と同様例えば１８０度の温度で、シール時間一秒、シール圧０．２ＭＰａでヒートシールにて接合させる。これにより、ホットメルト型接着樹脂テープ６とシート部３の内層３ｂのポリエチレンフィルムが５Ｎ／１５ｍｍ程度のヒートシール強度で接合することになる。図２にホットメルト型接着樹脂テープ６を介してシート部２，３間が接合された状態を示している。
【００１２】
前記包装袋１は四方シールタイプで内容物充填後の最終形態において四方がシールされるものであるが、包装袋１に対し内容物の充填を行なうときは包装袋１を立てた状態における下端辺をヒートシールせずに残して、他の３辺をヒートシールしておき、且つ前記ジッパーテープ４，５のやや下側位置においてホットメルト型接着樹脂テープ６によりシート部２，３間を接合しておき、ヒートシールされていない下端辺が上に向くように包装袋１を上下逆さにした状態で開口する下端辺より内容物を充填し、その後開口する下端辺をヒートシールして閉じるのである。７は包装袋１の周囲のヒートシール部である。
【００１３】
上記構成において、包装袋１のジッパーテープ４，５のやや下側位置においてホットメルト型接着樹脂テープ６によりシート部２，３間を接合してあることにより、内容物が液状のものであってもジッパーテープ４，５の隙間に入り込むのを止めることができる。
【００１４】
包装袋１から内容物を取り出すときは包装袋１を立てた状態における上端辺のヒートシールをノッチ部から引き裂いたり、鋏などで切り取ることにより取り除いて開口させ、この開口部の下側に位置する前記ジッパーテープ４，５間を開くとともにホットメルト型接着樹脂テープ６と何れか一方のシート部２または３との接合部を手で剥離させることにより包装袋１が完全に開かれ、内容物を取り出すことができる。
【００１５】
ところで、前記ホットメルト型接着樹脂としては種々のものが知られているが、本実施の形態では例えばヒロダイン（株）製のエチレン・酢酸ビニル共重合体を主成分とするエチレン・エチルアクリレート共重合体と石油樹脂、テレピン樹脂およびロジン系樹脂からなる群から選ばれた少なくとも一種の樹脂からなる樹脂組成物で形成されたものが用いられる。
【００１６】
また、上記した実施の形態では包装袋１は四方シールタイプの袋であるが、ガゼットタイプ、合掌タイプ、スタンドパックタイプなどの袋にも適用できるものである。
さらに、上記した実施の形態では包装袋１は上端辺もヒートシールされているが、上端辺をヒートシールしていないスライダー付きジッパーテープを備えた包装袋にも実施できることは言うまでもない。つまり、この上端辺をヒートシールしていないスライダー付きジッパーテープを備えた包装袋に実施した場合においても、雌雄の両ジッパーテープのやや下側位置においてホットメルト型接着樹脂テープにより２枚のシート部間を接合してあることにより、内容物が液状のものであっても両ジッパーテープの隙間に入り込むのを止めることができ、延いてはスライダー部からの液状内容物の漏出を防止することができる。
【００１７】
また、上記実施の形態では前記両ジッパーテープ４，５のやや下側位置でシート部２，３間を手で剥離できる程度のヒートシール強度で界面剥離可能に接合させているが、層間剥離可能、あるいは凝集剥離可能に接合させてあっても良い。例えば、この凝集剥離用に使用されるホットメルト型接着樹脂として、三菱化学（株）製のＶＭＸ（登録商標）で知られるポリオレフィンを主成分とし、ラジカル重合性モノマーでグラフト変性されたポリオレフィン樹脂に非晶性ビニルポリマーを均質に含有する多成分系ポリマーと、分散相をポリオレフィンにスチレンを分散したものをポリマーアロイした樹脂が適している。
【００１８】
また、両ジッパーテープ４，５のやや下側位置でシート部２，３間を手で剥離できる程度のヒートシール強度で簡単に剥離可能に接合させる手段として、両シート部２，３の内面に例えば直鎖状低密度ポリエチレン樹脂とポリブテン−１樹脂をランダムに配合した材料を含む樹脂からなるテープを接着剤により貼り合わせることも可能で、この両シート部２，３に貼り合わせたテープ同士をヒートシールにて接合したとき、その接合部間が完全結合されておらず、この接合部間を手で簡単に凝集剥離させることができる。
【００１９】
要するに、両ジッパーテープ４，５のやや下側位置でシート部２，３間を手で簡単に剥離できる程度のヒートシール強度で接合させれば良く、シート部２，３間に介在させる材料としては上記のものに限定されるものではない。
【００２０】
また、上記実施の形態では包装袋１は外層２ａ，３ａがナイロンフィルム、内層２ｂ，３ｂがポリエチレンフィルムからなる２層構造のシート部２，３によって作られた合成樹脂製のものであるが、その材料は特に限定されるものではない。つまり、包装袋１の材料は少なくとも内層がヒートシールの必要性からポリエチレンフィルムやポリプロピレンフィルムなどの合成樹脂フィルムで作られたものであれば、その内層の外側に積層される材料は合成樹脂以外のもの、例えばアルミ箔、紙、レーヨン紙などでも良い。
【図面の簡単な説明】
【００２１】
【図１】本発明の一実施の形態における包装袋の２枚のシート部間の接合前の状態を示す断面図である。
【図２】同包装袋の２枚のシート部間の接合後の状態を示す断面図である。
【図３】同包装袋に内容物を充填する状態における包装袋の斜視図である。
【図４】同包装袋に内容物を充填した後における包装袋の斜視図である。
【符号の説明】
【００２２】
１            包装袋
２，３        シート部
２ａ，３ａ    外層
２ｂ，３ｂ    内層
４，５        ジッパーテープ
６            ホットメルト型接着樹脂テープ
７            ヒートシール部
【図１】
2005225541.tif 000003
【図２】
2005225541.tif 000004
【図３】
2005225541.tif 000005
【図４】
2005225541.tif 000006